(57)【要約】【課題】消電流制限をかけつつ、リアルタイムに映像を表示することの可能な表示装置、電子機器、発光制御プログラムおよび発光制御方法を提供する。【解決手段】電流駆動型の光学素子を画素ごとに備えた表示装置において、表示映像に応じて光学素子の発光期間を変更することにより表示映像の発光期間が変更される。発光期間の変更は、表示映像に対応する特性値が所定の閾値を超えたときに行われる。これにより、特性値が所定の閾値に到達するまでの期間に対応して、表示画像の発光期間（デューティー比）が変更される。【選択図】図７
2013029613.tif 000002
【特許請求の範囲】
【請求項１】
電流駆動型の光学素子を画素ごとに備えると共に、表示映像に応じて前記光学素子の発光期間を変更することにより表示映像の発光期間を変更する発光制御部を備えた
表示装置。
【請求項２】
前記発光制御部は、表示映像に対応する特性値が所定の閾値を超えると、表示映像の発光期間を短縮する
請求項１に記載の表示装置。
【請求項３】
前記光学素子を流れる電流またはそれに対応する特性を計測する計測部をさらに備え、
前記発光制御部は、前記計測部での計測値またはそれに対応する値が所定の閾値を超えると、表示映像の発光期間を短縮する
請求項２に記載の表示装置。
【請求項４】
前記発光制御部は、前記計測部での計測値またはそれに対応する値が所定の閾値を超えると、前記光学素子の発光を１または複数の画素行ごとに順次、終了させることにより、表示映像の発光期間を短縮する
請求項３に記載の表示装置。
【請求項５】
前記計測部は、各画素の光学素子を流れる電流の値またはそれに対応する値を１もしくは複数の画素行ごとに計測し、
前記発光制御部は、前記計測部での計測値またはそれに対応する値を順次積算し、その積算した値またはそれに対応する値が所定の閾値を超えると、前記光学素子の発光を１または複数の画素行ごとに順次、終了させることにより、表示映像の発光期間を短縮する
請求項４に記載の表示装置。
【請求項６】
前記発光制御部は、表示映像に対応する表示信号の値またはそれに対応する値が所定の閾値を超えると、表示映像の発光期間を短縮する
請求項２に記載の表示装置。
【請求項７】
前記発光制御部は、表示映像に対応する表示信号の値またはそれに対応する値が所定の閾値を超えると、前記光学素子の発光を１または複数の画素行ごとに順次、終了させることにより、表示映像の発光期間を短縮する
請求項６に記載の表示装置。
【請求項８】
前記発光制御部は、表示映像に対応する表示信号の値またはそれに対応する値を１もしくは複数の画素行ごとに積算し、その積算した値またはそれに対応する値が所定の閾値を超えると、前記光学素子の発光を１または複数の画素行ごとに順次、終了させることにより、表示映像の発光期間を短縮する
請求項７に記載の表示装置。
【請求項９】
表示装置を備え、
前記表示装置は、電流駆動型の光学素子を画素ごとに有すると共に、表示映像に応じて前記光学素子の発光期間を変更することにより前記表示映像の発光期間を変更する発光制御部を有する
電子機器。
【請求項１０】
電流駆動型の光学素子を画素ごとに備えた表示装置において、表示映像に応じて前記光学素子の発光期間を変更することにより前記表示映像の発光期間を変更することを前記表示装置に実行させる
発光制御プログラム。
【請求項１１】
電流駆動型の光学素子を画素ごとに備えた表示装置において、表示映像に応じて前記光学素子の発光期間を変更することにより前記表示映像の発光期間を変更する
発光制御方法。
【発明の詳細な説明】
【技術分野】
【０００１】
本技術は、電流駆動型の光学素子を備えた表示装置および電子機器に関する。また、本技術は、上記表示装置における光学素子の発光制御プログラムおよび発光制御方法に関する。
【背景技術】
【０００２】
近年、映像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて、薄型化、高輝度化することができる。特に、駆動方式としてアクティブマトリクス方式を用いた場合には、各画素をホールド点灯させることができ、低消費電力化することもできる。そのため、有機ＥＬ表示装置は、次世代のフラットパネルディスプレイの主流になると期待されている。なお、有機ＥＬ表示装置については、例えば、特許文献１などに記載されている。
【先行技術文献】
【特許文献】
【０００３】
【特許文献１】特開２００８−０８３２７２号公報
【発明の概要】
【発明が解決しようとする課題】
【０００４】
有機ＥＬ素子は、電流駆動型の発光素子であり、有機ＥＬ素子に流れる電流量を制御することにより階調を調整することの可能な素子である。それゆえ、有機ＥＬ素子では、発光輝度が変化すると、電流つまり消費電力も変動する。また、表示領域に占める白表示領域の割合が変化した場合にも、消費電力が変動する。従って、表示映像が経時的に変化することにより、消費電力も変化する。
【０００５】
一定の消費電力内に抑えるためには、ある一定以上の電流が流れないように電流制限をかけ、表示映像の輝度を落とす必要がある。そのようにするために、従来では、例えば、映像信号が入力されたら、その映像信号を解析して、ある一定の消費電力内に抑えるように補正した表示信号を表示パネルに入力することが行われていた。しかし、そのようにした場合には、１フレームの映像信号が全て入力されてから、映像信号の解析を行うことが必要となるので、少なくとも１フレーム分の時間だけ遅延して表示信号を表示パネルに入力することになる。そのため、リアルタイムに映像を表示する必要のある用途には、上述の電流制限方法を用いることができないという問題があった。
【０００６】
本技術はかかる問題点に鑑みてなされたものであり、その目的は、電流制限をかけつつ、リアルタイムに映像を表示することの可能な表示装置、電子機器、発光制御プログラムおよび発光制御方法を提供することにある。
【課題を解決するための手段】
【０００７】
本技術による表示装置は、電流駆動型の光学素子を画素ごとに備えると共に、表示映像に応じて光学素子の発光期間を変更することにより表示映像の発光期間を変更する発光制御部を備えている。
【０００８】
本技術による電子機器は、上記の表示装置と同一の構成要素を有する表示装置を備えている。
【０００９】
本技術による発光制御プログラムは、電流駆動型の光学素子を画素ごとに備えた表示装置において、表示映像に応じて光学素子の発光期間を変更することにより表示映像の発光期間を変更することを表示装置に実行させるものである。
【００１０】
本技術による発光制御方法は、電流駆動型の光学素子を画素ごとに備えた表示装置において、表示映像に応じて光学素子の発光期間を変更することにより表示映像の発光期間を変更するステップを含むものである。
【００１１】
本技術による表示装置、電子機器、発光制御プログラムおよび発光制御方法では、表示映像に応じて、画素内の光学素子の発光期間を変更することにより、表示映像の発光期間が変更される。これにより、１フレーム分の映像が全て表示される前の段階から、表示映像に応じて消費電力の増大を抑制することができる。
【発明の効果】
【００１２】
本技術による表示装置、電子機器、発光制御プログラムおよび発光制御方法によれば、１フレーム分の映像が全て表示される前の段階から、表示映像に応じて消費電力の増大を抑制することができるようにしたので、電流制限をかけつつ、リアルタイムに映像を表示することができる。
【図面の簡単な説明】
【００１３】
【図１】本技術による第１の実施の形態に係る表示装置の構成の一例を表す図である。
【図２】画素回路の構成の一例を表す図である。
【図３】タイミング生成回路の構成の一例を表す図である。
【図４】電源線駆動回路の構成の一例を表す図である。
【図５】発光制御手順の一例を表す図である。
【図６】ｎ−１フレーム目およびｎフレーム目の表示映像の一例を表す図である。
【図７】図６の表示映像を表示したときの積算値の経時変化の一例と、画素列の表示の経時変化の一例と、表示領域全体の表示の経時変化の一例とを表す図である。
【図８】表示パネルに印加する各種電圧の経時変化の一例と、駆動トランジスタのゲート電圧およびソース電圧の経時変化の一例とを表す図である。
【図９】表示領域全体が均一な輝度となる映像が表示されるときに本実施の形態の発光制御がなされないときの、発光輝度と消費電力との関係の一例を表す図である。
【図１０】表示領域の一部が白表示で、それ以外が黒表示となる映像が表示されるときに本実施の形態の発光制御がなされないときの、白表示の領域の面積（発光面積）と消費電力との関係の一例を表す図である。
【図１１】表示領域全体が均一な輝度となる映像が表示されるときに本実施の形態の発光制御がなされたときの、発光輝度と消費電力およびデューティー比との関係の一例を表す図である。
【図１２】表示領域の一部が白表示で、それ以外が黒表示となる映像が表示されるときに本実施の形態の発光制御がなされたときの、白表示の領域の面積（発光面積）と消費電力およびデューティー比との関係の一例を表す図である。
【図１３】発光制御手順の一変形例を表す図である。
【図１４】本技術による第２の実施の形態に係る表示装置の構成の一例を表す図である。
【図１５】図１４の表示装置における画素回路の構成の一例を表す図である。
【図１６】図１４の表示装置におけるタイミング生成回路の構成の一例を表す図である。
【図１７】図１４の表示装置における発光制御手順の一例を表す図である。
【図１８】発光制御手順の一変形例を表す図である。
【図１９】上記実施の形態の表示装置を含むモジュールの概略構成を表す平面図である。
【図２０】上記実施の形態の発光装置の適用例１の外観を表す斜視図である。
【図２１】（Ａ）は適用例２の表側から見た外観を表す斜視図であり、（Ｂ）は裏側から見た外観を表す斜視図である。
【図２２】適用例３の外観を表す斜視図である。
【図２３】適用例４の外観を表す斜視図である。
【図２４】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１４】
以下、発明を実施するための形態について、図面を参照して詳細に説明する。なお、説明は以下の順序で行う。
１．第１の実施の形態（表示装置）
発光電流を利用して発光期間の変更がなされる例
２．第２の実施の形態（表示装置）
映像信号を利用して発光期間の変更がなされる例
３．適用例（電子機器）
上記実施の形態の表示装置が電子機器に適用される例
【００１５】
＜１．第１の実施の形態＞
［構成］
図１は、本技術による第１の実施の形態に係る表示装置１の概略構成を表したものである。この表示装置１は、表示パネル１０と、表示パネル１０を駆動する駆動回路２０とを備えている。駆動回路２０は、映像信号処理回路２１、タイミング生成回路２２、信号線駆動回路２３、書込線駆動回路２４、電源線駆動回路２５および計測回路２６を有している。タイミング生成回路２２は、本技術の「発光制御部」の一具体例に相当し、計測回路２６は、本技術の「計測部」の一具体例に相当する。
【００１６】
（表示パネル１０）
表示パネル１０は、発光色の互いに異なる３種類の有機ＥＬ素子１１Ｒ，１１Ｇ，１１Ｂが２次元配置された表示領域１０Ａを有している。有機ＥＬ素子１１Ｒ，１１Ｇ，１１Ｂは、本技術の「電流駆動型の光学素子」の一具体例に相当する。表示領域１０Ａとは、有機ＥＬ素子１１Ｒ，１１Ｇ，１１Ｂから発せられる光を利用して映像を表示する領域である。有機ＥＬ素子１１Ｒは赤色光を発する有機ＥＬ素子であり、有機ＥＬ素子１１Ｇは緑色光を発する有機ＥＬ素子であり、有機ＥＬ素子１１Ｂは青色光を発する有機ＥＬ素子である。以下では、有機ＥＬ素子１１Ｒ，１１Ｇ，１１Ｂの総称として有機ＥＬ素子１１を適宜、用いるものとする。なお、表示パネル１０に含まれる有機ＥＬ素子の発光色の種類は、上記に限定されるものではない。
【００１７】
図２は、表示領域１０Ａ内の回路構成の一例を表したものである。表示領域１０Ａ内には、複数の画素回路１２が個々の有機ＥＬ素子１１と対となって２次元配置されている。さらに、一対の有機ＥＬ素子１１および画素回路１２が１つのサブピクセル１３を構成している。より詳細には、図１、図２に示したように、一対の有機ＥＬ素子１１Ｒおよび画素回路１２が１つのサブピクセル１３Ｒを構成している。また、一対の有機ＥＬ素子１１Ｇおよび画素回路１２が１つのサブピクセル１３Ｇを構成し、一対の有機ＥＬ素子１１Ｂおよび画素回路１２が１つのサブピクセル１３Ｂを構成している。さらに、互いに隣り合う３つのサブピクセル１３Ｒ，１３Ｇ，１３Ｂが１つの画素（画素１４）を構成している。
【００１８】
各画素回路１２は、例えば、駆動トランジスタＴｒ１、書き込みトランジスタＴｒ２および保持容量Ｃｓによって構成されたものであり、２Ｔｒ１Ｃの回路構成となっている。駆動トランジスタＴｒ１および書き込みトランジスタＴｒ２は、例えば、ｎチャネルＭＯＳ型の薄膜トランジスタ（ＴＦＴ（Thin Film Transistor））により形成されている。駆動トランジスタＴｒ１または書き込みトランジスタＴｒ２は、例えば、ｐチャネルＭＯＳ型のＴＦＴであってもよい。
【００１９】
表示領域１０Ａにおいて、複数の信号線ＤＴＬが列方向に延在して配置され、複数の走査線ＷＳＬ、複数の電源線ＤＳＬおよび複数のカソード線ＣＴＬがそれぞれ、行方向に延在して配置されている。各信号線ＤＴＬと各走査線ＷＳＬとの交差点近傍には、サブピクセル１３が１つずつ設けられており、サブピクセル１３は表示領域１０Ａ内に２次元配置されている。列方向に並んで配置された複数のサブピクセル１３は共通の信号線ＤＴＬに接続されており、行方向に並んで配置された複数のサブピクセル１３は共通の走査線ＷＳＬに接続されている。さらに、行方向に並んで配置された複数のサブピクセル１３が共通のカソード線ＣＴＬに接続されている。
【００２０】
各信号線ＤＴＬは、信号線駆動回路２３の出力端（図示せず）と、書き込みトランジスタＴｒ２のドレイン電極およびソース電極のいずれか一方（図示せず）に接続されている。各走査線ＷＳＬは、書込線駆動回路２４の出力端（図示せず）と、書き込みトランジスタＴｒ２のゲート電極（図示せず）に接続されている。各電源線ＤＳＬは、電源線駆動回路２５の出力端（図示せず）と、駆動トランジスタＴｒ１のドレイン電極およびソース電極のいずれか一方（図示せず）に接続されている。各カソード線ＣＴＬは、計測回路２６の入力端（図示せず）に接続されている。
【００２１】
書き込みトランジスタＴｒ２のドレイン電極およびソース電極のうち信号線ＤＴＬに非接続の方（図示せず）は、駆動トランジスタＴｒ１のゲート電極（図示せず）と、保持容量Ｃｓの一端に接続されている。駆動トランジスタＴｒ１のドレイン電極およびソース電極のうち電源線ＤＳＬに非接続の方（図示せず）と保持容量Ｃｓの他端とが、有機ＥＬ素子１１のアノード電極（図示せず）に接続されている。有機ＥＬ素子１１のカソード電極（図示せず）は、カソード線ＣＴＬに接続されている。
【００２２】
（駆動回路２０）
次に、駆動回路２０内の各回路について、図１を参照して説明する。タイミング生成回路２２は、信号線駆動回路２３、書込線駆動回路２４および電源線駆動回路２５が連動して動作するように制御するものである。タイミング生成回路２２は、例えば、外部から入力された同期信号２０Ｂに応じて（同期して）、上述した各回路に対して制御信号２２Ａ，２２Ｂ，２２Ｃを出力するようになっている。なお、制御信号２２Ａは書込線駆動回路２４の制御信号であり、制御信号２２Ｂは信号線駆動回路２３の制御信号であり、制御信号２２Ｃは電源線駆動回路２５の制御信号である。タイミング生成回路２２は、例えば、映像信号処理回路２１、信号線駆動回路２３、書込線駆動回路２４、電源線駆動回路２５および計測回路２６などと共に、例えば、表示パネル１０とは別体の制御回路基板（図示せず）上に形成されている。
【００２３】
タイミング生成回路２２は、上述の機能の他に、表示画像に応じて有機ＥＬ素子１１の発光期間を変更することにより表示画像の発光期間を変更する機能も備えている。タイミング生成回路２２は、例えば、図３に示したように、発光制御プログラム２２−１と、メモリ２２−２と、発光制御プログラム２２−１を実行するプロセッサ２２−３とを有している。発光制御プログラム２２−１は、表示画像の発光期間の制御手順が記述されたものである。メモリ２２−２は、発光制御プログラム２２−１を格納しており、さらに、例えば、必要に応じて、プロセッサ２２−３における発光制御プログラム２２−１の実行に際して使用される数値などを記憶することができるようになっている。
【００２４】
なお、タイミング生成回路２２において、発光制御プログラム２２−１の全体または一部の機能が、ハードウェア（アプリケーション回路）として実現されていてもよい。なお、発光制御プログラム２２−１における発光制御の手順の概略や詳細については、後に詳述するものとする。
【００２５】
映像信号処理回路２１は、例えば、外部から入力されたデジタルの映像信号２０Ａに対して所定の補正を行うようになっている。所定の補正としては、例えば、ガンマ補正や、オーバードライブ補正などが挙げられる。映像信号処理回路２１は、さらに、外部から入力された同期信号２０Ｂに応じて（同期して）、例えば上記の補正をした後の映像信号２０Ａをアナログに変換して、アナログの表示信号２１Ａとして信号線駆動回路２３に出力するようになっている。
【００２６】
信号線駆動回路２３は、映像信号処理回路２１から入力された表示信号２１Ａを、制御信号２２Ｂの入力に応じて（同期して）各信号線ＤＴＬに出力し、これにより、選択対象の各画素１４への書き込みを行うものである。なお、書き込みとは、駆動トランジスタＴｒ１のゲートに所定の電圧を印加することを指している。信号線駆動回路２３は、例えば、表示信号２１Ａに対応する信号電圧Ｖｓｉｇと、表示信号２１Ａとは無関係な一定の電圧Ｖｏｆｓとを出力することが可能となっている。ここで、電圧Ｖｏｆｓは、有機ＥＬ素子１１の閾値電圧よりも低い電圧値（一定値）である。
【００２７】
書込線駆動回路２４は、制御信号２２Ａの入力に応じて（同期して）、複数の走査線ＷＳＬの中から１または複数の走査線ＷＳＬに選択パルスを順次印加し、これにより、１または複数の画素行を順次選択するものである。書込線駆動回路２４は、例えば、書き込みトランジスタＴｒ２をオンさせるときに印加する電圧Ｖｏｎと、書き込みトランジスタＴｒ２をオフさせるときに印加する電圧Ｖｏｆｆとを出力することが可能となっている。
【００２８】
電源線駆動回路２５は、制御信号２２Ｃの入力に応じて（同期して）、複数の電源線ＤＳＬの中から１または複数の電源線ＤＳＬに選択パルスを順次印加し、これにより、１または複数の画素行の発光および消光を制御するものである。電源線駆動回路２５は、例えば、後述のＶｔｈ補正や、μ補正、発光の際に印加する電圧ＶｃｃＨと、消光の際に印加する電圧ＶｃｃＬとを出力することが可能となっている。
【００２９】
電源線駆動回路２５は、例えば、図４（Ａ）に示した回路構成となっており、図４（Ｂ）に示した波形の信号ｄｓｓｔ、ｃｋ、ｘｃｋが入力されることにより、図４（Ｃ）に示した波形の信号ｏｕｔ１，ｏｕｔ２を出力可能となっている。電源線駆動回路２５は、例えば、ｄｓｓｔの立ち下がり時期に応じて、ｏｕｔ１，ｏｕｔ２の立ち下がり時期を変更することが可能である。従って、電源線駆動回路２５は、ｄｓｓｔの立ち下がりを利用して発光期間を制御することも可能である。
【００３０】
計測回路２６は、例えば、各カソード線ＣＴＬを流れる電流またはそれに対応する特性（例えば電圧）をカソード線ＣＴＬごとに計測し、計測値に対応する信号（計測信号２６Ａ）をカソード線ＣＴＬごとにタイミング生成回路２２へ出力するものである。
【００３１】
（発光制御の手順）
次に、発光制御プログラム２２−１における発光制御の手順の概略について説明する。図５は、発光制御プログラム２２−１における発光制御の手順の概略を表したものである。なお、以下では、プロセッサ２２−３が発光制御を実行している場合について説明するが、アプリケーション回路が以下の発光制御を実行してもかまわない。
【００３２】
プロセッサ２２−３は、まず、計測回路２６で得られた計測値（計測信号２６Ａ）またはそれに対応する値を順次積算する（ステップＳ１０１）。次に、プロセッサ２２−３は、その積算した値またはそれに対応する値が所定の閾値を超えたか否かを判定する（ステップＳ１０２）。なお、上記の「その積算した値またはそれに対応する値」は、本技術の「表示画像に対応する特性値」の一具体例に相当する。その結果、積算値またはそれに対応する値が所定の閾値を超えていなかった場合には、プロセッサ２２−３は、引き続き、計測回路２６で得られた計測値またはそれに対応する値を順次積算する（ステップＳ１０１）。その逆に、積算値またはそれに対応する値が所定の閾値を超えていた場合には、プロセッサ２２−３は、表示画像の発光期間を変更（短縮）する（ステップＳ１０３）。プロセッサ２２−３は、１フレーム分の積算が終了するか、または、表示画像の発光期間の短縮を実行した段階で、積算値を初期値（例えばゼロ）にリセットした上で、次フレーム分の積算を実行する。プロセッサ２２−３は、このようにして、上述の一連の手順を１フレームごとに行う。
【００３３】
次に、発光制御プログラム２２−１における発光制御の手順の一例について説明する。図６は、ｎ−１フレーム目およびｎフレーム目の表示映像の一例を表したものである。ｎ−１フレーム目の表示映像は、図６に示したように、表示領域１０Ａ全体が黒表示となるような映像である。ｎフレーム目の表示映像は、図６に示したように、表示領域１０Ａ全体が白表示となるような映像である。図７（Ａ）は、図６の表示映像を表示したときの積算値の経時変化の一例を表したものである。なお、本実施の形態において、図７（Ａ）の積算値とは、計測回路２６で得られた計測値（計測信号２６Ａ）またはそれに対応する値の積算値を指している。図７（Ｂ）は、図６の表示映像を表示したときの、各画素列の表示の経時変化の一例を表したものである。図７（Ｃ）は、図６の表示映像を表示したときの、表示領域１０Ａ全体の表示の経時変化の一例を表したものである。なお、図７（Ｃ）は、ある瞬間の表示映像を表したものであり、観察者が実際に視認する表示映像とは異なっている。
【００３４】
ｎ−１フレーム目の表示映像のうち１ライン目の画素行に対応する映像の表示が終了すると、ｎフレーム目の消光期間Ｌｏｆｆが始まる（図７（Ｂ）のＴ10）。すると、黒挿入が１ライン目からＮライン目まで１ラインずつまたは複数ラインずつ順番に転送される。消光期間Ｌｏｆｆの間、後述するＶｔｈ補正準備や、Ｖｔｈ補正、Ｖｔｈ補正休止、μ補正、書込みが、１ライン目からＮライン目まで１ラインずつまたは複数ラインずつ順番に行われ、その結果、ｎフレーム目の発光期間Ｌｏｎが始まる（図７（Ｂ）のＴ11）。発光期間Ｌｏｎが始まると、ｎフレーム目の表示映像に対応する発光電流が１ライン目から１ラインずつまたは複数ラインずつ順番に流れ始めるので、表示領域１０Ａでは、１ライン目側から徐々に白表示が増えてくる（図７（Ｃ））。
【００３５】
プロセッサ２２−３は、発光期間Ｌｏｎが開始すると、ｎフレーム目の表示映像に対応する発光電流が１ライン目から１ラインずつまたは複数ラインずつ順番に流れるのに同期して、計測回路２６で得られた計測値（計測信号２６Ａ）またはそれに対応する値を、１ライン目から１ラインずつまたは複数ラインずつ順次積算する。積算値は、図７（Ａ）に示したように、時間の経過とともに徐々に上昇し、ある時（図７（Ｂ）のＴ12）を境に、所定の閾値Ａ２を超える。このとき、電流制限が働いていない場合には、積算値は、図７（Ａ）の一点鎖線に示したように、ｎフレーム目の表示映像のうち１ライン目の画素行に対応する映像の表示が終了する時（図７（Ｂ）のＴ13）まで上昇し続け、閾値Ａ２よりも大きな値Ａ１に到達する。
【００３６】
一方、本実施の形態では、プロセッサ２２−３は、積算値またはそれに対応する値が所定の閾値Ａ２を超えると、図７（Ａ）の実線に示したように、積算値またはそれに対応する値がそれ以上増えないように、電流制限を実施する。具体的には、プロセッサ２２−３は、積算値またはそれに対応する値が所定の閾値Ａ２を超えると、図７（Ｂ）に示したように、１ライン目から１ラインずつまたは複数ラインずつ順番に強制的に消光する強制黒表示期間Ｌｃｏを開始して、ｎフレーム目の表示画像の発光期間を短縮する。つまり、プロセッサ２２−３は、積算値またはそれに対応する値が所定の閾値Ａ２を超えると、表示信号２１Ａとは無関係な輝度（具体的には黒輝度）に強制的に変更し、デューティー比を当初の値よりも小さくする。これにより、積算値またはそれに対応する値が所定の閾値Ａ２に到達するまでの期間に対応して、ｎフレーム目の表示画像の発光期間（デューティー比）が短縮される。また、発光期間（デューティー比）の短縮により、例えば、図７（Ｃ）に示したように、ｎフレーム目の表示映像の一部である帯状の領域（白表示の領域）が表示領域１０Ａを上から下に変移するようになる。その結果、ｎフレーム目の表示映像の発光輝度は、デューティー比が小さくなった分だけ、観察者にとっては低く感じられる。
【００３７】
[動作]
次に、表示装置１の動作の一例について説明する。図８は、表示装置１を駆動させたときの各種波形の一例を表したものである。図８（Ａ）には、信号線ＤＴＬに電圧Ｖｓｉｇ、電圧Ｖｏｆｓが周期的に印加されている様子が示されている。また、図８（Ｂ），（Ｃ）には、書込線ＷＳＬに電圧Ｖｏｎ、電圧Ｖｏｆｆが所定のタイミングで印加され、電源線ＤＳＬに電圧ＶｃｃＨ、電圧ＶｃｃＬが所定のタイミングで印加さている様子がそれぞれ示されている。なお、図８（Ｂ）には、駆動トランジスタＴｒ１がｎチャネル型である場合の波形が例示されている。図８（Ｄ），（Ｅ）には、信号線ＤＴＬ、書込線ＷＳＬおよび電源線ＤＳＬへの電圧印加に応じて、駆動トランジスタＴｒ１のゲート電圧Ｖｇおよびソース電圧Ｖｓが時々刻々変化している様子が示されている。
【００３８】
---Ｖｔｈ補正準備期間---
まず、Ｖｔｈ補正（閾値補正）の準備を行う。具体的には、書込線ＷＳＬの電圧がＶｏｆｆとなっており、電源線ＤＳＬの電圧がＶｃｃＨとなっている時（つまり有機ＥＬ素子１１が発光している時）に、電源線駆動回路２５が制御信号２２Ｃに応じて電源線ＤＳＬの電圧をＶｃｃＨからＶｃｃＬに下げる（Ｔ１）。すると、ソース電圧ＶｓがＶｃｃＬとなり、有機ＥＬ素子１１が消光する。次に、信号線駆動回路２３が制御信号２２Ｂに応じて信号線ＤＴＬの電圧をＶｓｉｇからＶｏｆｓに切り替えたのち、電源線ＤＳＬの電圧がＶｃｃＬとなっている間に、書込線駆動回路２４が制御信号２２Ａに応じて書込線ＷＳＬの電圧をＶｏｆｆからＶｏｎに上げる。すると、ゲート電圧ＶｇがＶｏｆｓになる。このとき、ゲート電圧Ｖｇとソース電圧Ｖｓとの電位差Ｖｇｓ（＝Ｖｏｆｓ−ＶｃｃＬ）が駆動トランジスタＴｒ１の閾値電圧Ｖｔｈよりも大きくなるように、電源線駆動回路２５および信号線駆動回路２３では、電源線ＤＳＬおよび信号線ＤＴＬへの印加電圧（ＶｃｃＬ、Ｖｏｆｓ）が設定されている。
【００３９】
---最初のＶｔｈ補正期間---
次に、Ｖｔｈ補正を行う。具体的には、信号線ＤＴＬの電圧がＶｏｆｓとなっている間に、電源線駆動回路２５が制御信号２２Ｃに応じて電源線ＤＳＬの電圧をＶｃｃＬからＶｃｃＨに上げる（Ｔ２）。すると、駆動トランジスタＴｒ１のドレイン−ソース間に電流が流れ、ソース電圧Ｖｓが上昇する。その後、信号線駆動回路２３が制御信号２２Ｂに応じて信号線ＤＴＬの電圧をＶｏｆｓからＶｓｉｇに切り替える前に、書込線駆動回路２４が制御信号２２Ａに応じて書込線ＷＳＬの電圧をＶｏｎからＶｏｆｆに下げる（Ｔ３）。すると、駆動トランジスタＴｒ１のゲートがフローティングとなり、Ｖｔｈ補正が一旦抑制する。
【００４０】
---最初のＶｔｈ補正休止期間---
Ｖｔｈ補正が休止している期間中（すなわち、書込線ＷＳＬの電圧がＶｏｆｆとなっており、かつ電源線ＤＳＬの電圧がＶｃｃＨとなっている間）は、先のＶｔｈ補正を行った行（画素）とは異なる他の行（画素）において、信号線ＤＴＬの電圧のサンプリングが行われる。なお、Ｖｔｈ補正が不十分である場合、すなわち、駆動トランジスタＴｒ１のゲート−ソース間の電位差Ｖｇｓが駆動トランジスタＴｒ１の閾値電圧Ｖｔｈよりも大きい場合には、以下のようになる。すなわち、Ｖｔｈ補正休止期間中にも、先のＶｔｈ補正を行った行（画素）において、駆動トランジスタＴｒ１のドレイン−ソース間に電流が流れ、ソース電圧Ｖｓが上昇し、保持容量Ｃｓを介したカップリングによりゲート電圧Ｖｇも上昇する。
【００４１】
---２回目のＶｔｈ補正期間---
Ｖｔｈ補正休止期間が終了した後、Ｖｔｈの補正を再び行う。具体的には、電源線ＤＳＬの電圧がＶｃｃＨとなっており、かつ信号線ＤＴＬの電圧がＶｏｆｓとなっており、Ｖｔｈ補正が可能となっている時に、書込線駆動回路２４が制御信号２２Ａに応じて書込線ＷＳＬの電圧をＶｏｆｆからＶｏｎに上げ（Ｔ４）、駆動トランジスタＴｒ１のゲートを信号線ＤＴＬに接続する。このとき、ソース電圧ＶｓがＶｏｆｓ−Ｖｔｈよりも低い場合（Ｖｔｈ補正がまだ完了していない場合）には、駆動トランジスタＴｒ１がカットオフするまで（電位差ＶｇｓがＶｔｈになるまで）、駆動トランジスタＴｒ１のドレイン−ソース間に電流が流れる。これにより、ゲート電圧ＶｇがＶｏｆｓとなり、ソース電圧Ｖｓが上昇し、その結果、保持容量ＣｓがＶｔｈに充電され、電位差ＶｇｓがＶｔｈとなる。その後、信号線駆動回路２３が信号線ＤＴＬの電圧をＶｏｆｓからＶｓｉｇに切り替える前に、書込線駆動回路２４が書込線ＷＳＬの電圧をＶｏｎからＶｏｆｆに下げる（Ｔ５）。すると、駆動トランジスタＴｒ１のゲートがフローティングとなるので、電位差Ｖｇｓを信号線ＤＴＬの電圧の大きさに拘わらずＶｔｈのままで維持することができる。このように、電位差ＶｇｓをＶｔｈに設定することにより、駆動トランジスタＴｒ１の閾値電圧Ｖｔｈが画素回路１２ごとにばらついた場合であっても、有機ＥＬ素子１１の発光輝度がばらつくのをなくすることができる。
【００４２】
---２回目のＶth補正休止期間---
その後、Ｖｔｈ補正の休止期間中（すなわち、書込線ＷＳＬの電圧がＶｏｆｆとなっており、かつ電源線ＤＳＬの電圧がＶｃｃＨとなっている間）に、信号線駆動回路２３が制御信号２２Ｂに応じて信号線ＤＴＬの電圧をＶｏｆｓからＶｓｉｇに切り替える。
【００４３】
---書き込み・μ補正期間---
２回目のＶｔｈ補正休止期間が終了した後、書き込みとμ補正を行う。具体的には、信号線ＤＴＬの電圧がＶｓｉｇとなっている間に、書込線駆動回路２４が制御信号２２Ａに応じて書込線ＷＳＬの電圧をＶｏｆｆからＶｏｎに上げ（Ｔ６）、駆動トランジスタＴｒ１のゲートを信号線ＤＴＬに接続する。すると、駆動トランジスタＴｒ１のゲートの電圧が信号線ＤＴＬの電圧Ｖｓｉｇとなる。このとき、有機ＥＬ素子１１のアノードの電圧はこの段階ではまだ有機ＥＬ素子１１の閾値電圧よりも小さく、有機ＥＬ素子１１はカットオフしている。そのため、電流は有機ＥＬ素子１１の素子容量（図示せず）に流れ、素子容量が充電されるので、ソース電圧ＶｓがΔＶだけ上昇し、やがて電位差ＶｇｓがＶｓｉｇ＋Ｖｔｈ−ΔＶとなる。このようにして、書き込みと同時にμ補正が行われる。ここで、駆動トランジスタＴｒ１の移動度μが大きい程、ΔＶも大きくなるので、電位差Ｖｇｓを発光前にΔＶだけ小さくすることにより、画素ごとの移動度μのばらつきを取り除くことができる。
【００４４】
---発光期間---
次に、書込線駆動回路２４が制御信号２２Ａに応じて書込線ＷＳＬの電圧をＶｏｎからＶｏｆｆに下げる（Ｔ７）。すると、駆動トランジスタＴｒ１のゲートがフローティングとなり、駆動トランジスタＴｒ１のドレイン−ソース間に電流が流れ、ソース電圧Ｖｓが上昇する。その結果、有機ＥＬ素子１１に閾値電圧以上の電圧が印加され、有機ＥＬ素子１１が所望の輝度で発光する。
【００４５】
---強制黒表示期間---
その後、タイミング生成回路２２は、ｎフレーム目の表示映像に対応する発光電流が１ライン目から１ラインずつまたは複数ラインずつ順番に流れるのに同期して、計測回路２６で得られた計測値（計測信号２６Ａ）またはそれに対応する値を、１ライン目から１ラインずつまたは複数ラインずつ順次積算する。その後、時間の経過とともに、積算値またはそれに対応する値が所定の閾値を超えると、タイミング生成回路２２は、制御信号２２Ｃとして、１ライン目から１ラインずつまたは複数ラインずつ順番に消光する信号を、電源線駆動回路２５に出力する。すると、電源線駆動回路２５は、１ライン目から１ラインずつまたは複数ラインずつ順番に、電源線ＤＳＬにＶｃｃＬを印加する（Ｔ８）。その結果、発光が強制的に停止されるので、ｎフレーム目の表示映像の発光期間（デューティー比）が短くなる。
【００４６】
[効果]
次に、本実施の形態の表示装置１の効果について説明する。
【００４７】
有機ＥＬ素子は、電流駆動型の発光素子であり、有機ＥＬ素子に流れる電流量を制御することにより階調を調整することの可能な素子である。それゆえ、有機ＥＬ素子では、発光輝度が変化すると、電流つまり消費電力も変動する。例えば、図９に示したように、表示領域全体の輝度が徐々に大きくなると、それに従って、消費電力も大きくなる。また、表示領域に占める白表示領域の割合が変化した場合にも、消費電力が変動する。例えば、図１０に示したように、表示領域内の白表示の領域が徐々に大きくなると、それに従って、消費電力も大きくなる。
【００４８】
表示領域全体が白表示となったときの消費電力Ｐ１が大き過ぎる場合に、消費電力がある一定以上の消費電力Ｐ２（＜Ｐ１）を超えることがないように電流制限をかけることが考えられる。従来では、例えば、映像信号が入力されたら、その映像信号を解析して、ある一定の消費電力内に抑えるように表示信号を補正して表示パネルに入力することが行われていた。しかし、そのようにした場合には、１フレームの映像信号が全て入力されてから、映像信号の解析を行うことが必要となるので、少なくとも１フレーム分の時間だけ遅延して表示信号を表示パネルに入力することになる。そのため、リアルタイムに映像を表示する必要のある用途には、上述の電流制限方法を用いることができないという問題があった。
【００４９】
一方、本実施の形態では、表示信号の補正はなされず、発光期間（デューティー比）の変更だけがなされる。具体的には、ｎフレーム目の表示映像に対応する発光電流が１ライン目から１ラインずつまたは複数ラインずつ順番に流れるのに同期して、計測回路２６で得られた計測値（計測信号２６Ａ）またはそれに対応する値が、１ライン目から１ラインずつ順次積算される。その後、時間の経過とともに、積算値またはそれに対応する値が所定の閾値を超えると、１ライン目から１ラインずつまたは複数ラインずつ順番に、発光が強制的に停止され、ｎフレーム目の表示映像の発光期間（デューティー比）が短くなる。これにより、１フレーム分の映像が全て表示される前の段階から、表示映像に応じて消費電力の増大を抑制することができるので、電流制限をかけつつ、リアルタイムに映像を表示することができる。
【００５０】
また、本実施の形態では、例えば、図１１、図１２に示したように、消費電力が所定の閾値Ｐ２を超える映像を表示するに際して、積算値またはそれに対応する値が所定の閾値に到達するまでの期間に対応して、その映像の発光期間（デューティー比）が短縮される。これにより、消費電力の増大を抑えることができる。
【００５１】
[第１の実施の形態の変形例] 
上記実施の形態では、積算値を利用して発光期間（デューティー比）の変更がなされていたが、積算しない別の方法を利用して発光期間（デューティー比）の変更がなされていてもよい。例えば、計測回路２６が、各サブピクセル１３の有機ＥＬ素子１１を流れる電流の総和またはそれに対応する値を計測するようになっている場合には、その計測値を利用して発光期間（デューティー比）の変更を行うことが可能である。
【００５２】
（発光制御の手順）
図１３は、本変形例における発光制御の手順の概略を表したものである。なお、以下では、プロセッサ２２−３が発光制御を実行している場合について説明するが、アプリケーション回路が以下の発光制御を実行してもかまわない。
【００５３】
プロセッサ２２−３は、まず、計測回路２６で得られた計測値（計測信号２６Ａ）またはそれに対応する値が所定の閾値を超えたか否かを判定する（ステップＳ２０１）。その結果、計測値またはそれに対応する値が所定の閾値を超えていなかった場合には、プロセッサ２２−３は、引き続き、計測回路２６から計測値（計測信号２６Ａ）を取得したり、取得した計測値に対応する値を取得するとともに、取得した値を用いて上記の判定を実行する。その逆に、計測値またはそれに対応する値が所定の閾値を超えていた場合には、プロセッサ２２−３は、表示画像の発光期間を変更（短縮）する（ステップＳ２０２）。プロセッサ２２−３は、このようにして、上述の一連の手順を繰り返し行う。
【００５４】
＜２．第２の実施の形態＞
[構成]
図１４は、本技術による第２の実施の形態に係る表示装置２の概略構成を表したものである。この表示装置２は、上記第１の実施の形態の表示装置１において、計測回路２６が省略され、映像信号処理回路２１からタイミング生成回路２２に映像信号２１Ｂが出力されている点で、上記第１の実施の形態の表示装置１の構成と主に相違する。従って、以下では、上記第１の実施の形態との相違点について主に説明し、上記第１の実施の形態との共通点についての説明を適宜省略するものとする。
【００５５】
図１５は、表示装置２の表示領域１０Ａ内の回路構成の一例を表したものである。この表示装置２では、計測回路２６が省略された結果、カソード線ＣＴＬも省略されており、その代わりに、例えば、表示領域１０Ａ全体に渡って形成されたシート状のカソード電極（図示せず）が設けられている。カソード電極は、例えば、グラウンド（ＧＮＤ）電位となっている。
【００５６】
本実施の形態において、映像信号処理回路２１は、外部から入力された同期信号２０Ｂに応じて（同期して）、例えば、映像信号２０Ａに対して上述の補正をした後の映像信号２１Ｂをタイミング生成回路２２に出力するようになっている。
【００５７】
図１６は、本実施の形態におけるタイミング生成回路２２の構成の一例を表したものである。本実施の形態において、タイミング生成回路２２は、上述の制御信号２２Ａ，２２Ｂ，２２Ｃの生成の他に、表示画像に応じて有機ＥＬ素子１１の発光期間を変更することにより表示画像の発光期間を変更する機能も備えている。タイミング生成回路２２は、例えば、図１６に示したように、発光制御プログラム２２−４と、メモリ２２−５と、発光制御プログラム２２−４を実行するプロセッサ２２−６とを有している。発光制御プログラム２２−６は、表示画像の発光期間の制御手順を含んでいる。メモリ２２−５は、発光制御プログラム２２−４を格納しており、さらに、例えば、必要に応じて、プロセッサ２２−６における発光制御プログラム２２−４の実行に際して使用される数値などを記憶することができるようになっている。なお、タイミング生成回路２２において、発光制御プログラム２２−４の全体または一部の機能が、ハードウェア（アプリケーション回路）として実現されていてもよい。
【００５８】
（発光制御の手順）
次に、発光制御プログラム２２−４における発光制御の手順の概略について説明する。図１７は、発光制御プログラム２２−４における発光制御の手順の概略を表したものである。なお、以下では、プロセッサ２２−６が発光制御を実行している場合について説明するが、アプリケーション回路が以下の発光制御を実行してもかまわない。
【００５９】
プロセッサ２２−６は、まず、映像信号処理回路２１から入力された映像信号２１Ｂまたはそれに対応する値を順次積算する（ステップＳ３０１）。次に、プロセッサ２２−６は、その積算した値またはそれに対応する値が所定の閾値を超えたか否かを判定する（ステップＳ３０２）。なお、上記の「その積算した値またはそれに対応する値」は、本技術の「表示画像に対応する特性値」の一具体例に相当する。その結果、積算値またはそれに対応する値が所定の閾値を超えていなかった場合には、プロセッサ２２−６は、引き続き、映像信号処理回路２１から入力された映像信号２１Ｂまたはそれに対応する値を順次積算する（ステップＳ３０１）。その逆に、積算値またはそれに対応する値が所定の閾値を超えていた場合には、プロセッサ２２−６は、表示画像の発光期間を変更（短縮）する（ステップＳ３０３）。プロセッサ２２−６は、１フレーム分の積算が終了するか、または、表示画像の発光期間の短縮を実行した段階で、積算値を初期値（例えばゼロ）にリセットした上で、次フレーム分の積算を実行する。プロセッサ２２−６は、このようにして、上述の一連の手順を１フレームごとに行う。
【００６０】
次に、図６、図７を利用して、発光制御プログラム２２−４における発光制御の手順の一例について説明する。なお、本実施の形態において、図７（Ａ）の積算値とは、映像信号処理回路２１から入力された映像信号２１Ｂまたはそれに対応する値の積算値を指している。
【００６１】
プロセッサ２２−６は、発光期間Ｌｏｎが開始すると、映像信号処理回路２１から入力された映像信号２１Ｂまたはそれに対応する値を、１ライン目から１ラインずつまたは複数ラインずつ順次積算する。積算値は、図７（Ａ）に示したように、時間の経過とともに徐々に上昇し、ある時（図７（Ｂ）のＴ12）を境に、所定の閾値Ａ２を超える。このとき、電流制限が働いていない場合には、積算値は、図７（Ａ）の一点鎖線に示したように、ｎフレーム目の表示映像のうち１ライン目の画素行に対応する映像の表示が終了する時（図７（Ｂ）のＴ13）まで上昇し続け、閾値Ａ２よりも大きな値Ａ１に到達する。
【００６２】
プロセッサ２２−６は、積算値またはそれに対応する値が所定の閾値Ａ２を超えると、図７（Ａ）の実線に示したように、積算値がそれ以上増えないように、電流制限を実施する。具体的には、プロセッサ２２−６は、積算値またはそれに対応する値が所定の閾値Ａ２を超えると、ｎフレーム目の表示画像の発光期間を短縮する。より具体的には、プロセッサ２２−６は、積算値またはそれに対応する値が所定の閾値Ａ２を超えると、図７（Ｂ）に示したように、１ライン目から１ラインずつまたは複数ラインずつ順番に強制的に消光する「強制黒表示」を開始して、ｎフレーム目の表示画像の発光期間を短縮する。つまり、プロセッサ２２−６は、積算値またはそれに対応する値が所定の閾値Ａ２を超えると、表示信号２１Ａとは無関係な輝度（具体的には黒輝度）に強制的に変更し、デューティー比を当初の値よりも小さくする。これにより、積算値またはそれに対応する値が所定の閾値Ａ２に到達するまでの期間に対応して、ｎフレーム目の表示画像の発光期間（デューティー比）が短縮される。また、発光期間（デューティー比）の短縮により、例えば、図７（Ｃ）に示したように、ｎフレーム目の表示映像の一部である帯状の領域（白表示の領域）が表示領域１０Ａを上から下に変移するようになる。その結果、ｎフレーム目の表示映像の発光輝度は、デューティー比が小さくなった分だけ、観察者にとっては低く感じられる。
【００６３】
[効果]
次に、本実施の形態の表示装置２の効果について説明する。
【００６４】
本実施の形態では、上記第１の実施の形態と同様、表示信号の補正はなされず、発光期間（デューティー比）の変更だけがなされる。具体的には、映像信号処理回路２１から入力された映像信号２１Ｂまたはそれに対応する値が、１ライン目から１ラインずつまたは複数ラインずつ順次積算される。その後、時間の経過とともに、積算値が所定の閾値を超えると、１ライン目から１ラインずつまたは複数ラインずつ順番に、発光が強制的に停止され、ｎフレーム目の表示映像の発光期間（デューティー比）が短くなる。これにより、１フレーム分の映像が全て表示される前の段階から、表示映像に応じて消費電力の増大を抑制することができるので、電流制限をかけつつ、リアルタイムに映像を表示することができる。
【００６５】
また、本実施の形態では、例えば、図１１、図１２に示したように、消費電力が所定の閾値Ｐ２を超える映像を表示するに際して、積算値が所定の閾値に到達するまでの期間に対応して、その映像の発光期間（デューティー比）が短縮される。これにより、消費電力の増大を抑えることができる。
【００６６】
[第２の実施の形態の変形例] 
上記第２の実施の形態では、積算値を利用して発光期間（デューティー比）の変更がなされていたが、積算しない別の方法を利用して発光期間（デューティー比）の変更がなされていてもよい。例えば、映像信号処理回路２１が、表示領域１０Ａに実際に表示する映像全体の表示信号２１Ａに対応する映像信号２１Ｂの総和を映像信号２１Ｂとして出力するようになっている場合には、その映像信号２１Ｂを利用して発光期間（デューティー比）の変更を行うことが可能である。
【００６７】
（発光制御の手順）
図１８は、本変形例における発光制御の手順の概略を表したものである。なお、以下では、プロセッサ２２−６が発光制御を実行している場合について説明するが、アプリケーション回路が以下の発光制御を実行してもかまわない。
【００６８】
プロセッサ２２−６は、まず、映像信号処理回路２１から入力された映像信号２１Ｂまたはそれに対応する値が所定の閾値を超えたか否かを判定する（ステップＳ４０１）。その結果、映像信号２１Ｂまたはそれに対応する値が所定の閾値を超えていなかった場合には、プロセッサ２２−６は、引き続き、映像信号処理回路２１から映像信号２１Ｂを取得したり、取得した映像信号２１Ｂに対応する値を取得するとともに、取得した値を用いて上記の判定を実行する。その逆に、映像信号２１Ｂまたはそれに対応する値が所定の閾値を超えていた場合には、プロセッサ２２−６は、表示画像の発光期間を変更（短縮）する（ステップＳ４０２）。プロセッサ２２−６は、このようにして、上述の一連の手順を繰り返し行う。
【００６９】
＜３．適用例＞
以下、上記各実施の形態およびそれらの変形例で説明した表示装置１，２の適用例について説明する。上述の表示装置１，２は、テレビジョン装置、デジタルカメラ、ノート型パーソナルコンピュータ、携帯電話等の携帯端末装置あるいはビデオカメラなど、外部から入力された映像信号あるいは内部で生成した映像信号を、映像あるいは映像として表示するあらゆる分野の電子機器の表示装置に適用することが可能である。
【００７０】
（モジュール）
上述の表示装置１，２は、例えば、図１９に示したようなモジュールとして、後述する適用例１〜５などの種々の電子機器に組み込まれる。このモジュールは、例えば、基板３１の一辺に、封止用基板３２から露出した領域２１０を設け、この露出した領域２１０に、駆動回路２０の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００７１】
（適用例１）
図２０は、上述の表示装置１，２が適用されるテレビジョン装置の外観を表したものである。このテレビジョン装置は、例えば、フロントパネル３１０およびフィルターガラス３２０を含む映像表示画面部３００を有しており、この映像表示画面部３００は、上述の表示装置１，２により構成されている。
【００７２】
（適用例２）
図２１は、上述の表示装置１，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上述の表示装置１，２により構成されている。
【００７３】
（適用例３）
図２２は、上述の表示装置１，２が適用されるノート型パーソナルコンピュータの外観を表したものである。このノート型パーソナルコンピュータは、例えば、本体５１０，文字等の入力操作のためのキーボード５２０および映像を表示する表示部５３０を有しており、その表示部５３０は、上述の表示装置１，２により構成されている。
【００７４】
（適用例４）
図２３は、上述の表示装置１，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上述の表示装置１，２により構成されている。
【００７５】
（適用例５）
図２４は、上述の表示装置１，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上述の表示装置１，２により構成されている。
【００７６】
以上、実施の形態、変形例および適用例を挙げて本技術を説明したが、本技術は上記実施の形態等に限定されるものではなく、種々変形が可能である。
【００７７】
例えば、上記実施の形態等では、例えば、図８に示したように、表示画像の発光期間の変更（短縮）を実行する手段として、電源線ＤＳＬの電圧をＶｃｃＨからＶｃｃＬに変更することが記載されていた。しかし、表示画像の発光期間の変更（短縮）を実行する手段として、それ以外の方法を採ることはもちろん可能である。例えば、駆動トランジスタＴｒ１のドレインと電源線ＤＳＬとの間に、スイッチング素子（図示せず）を設け、このスイッチング素子をオフすることにより、表示画像の発光期間を変更（短縮）することができる。
【００７８】
また、上記実施の形態等では、上述の表示装置１，２がアクティブマトリクス型である場合について説明したが、アクティブマトリクス駆動のための画素回路１２の構成は上記実施の形態等で説明したものに限られず、必要に応じて容量素子やトランジスタを画素回路１２に追加してもよい。その場合、画素回路１２の変更に応じて、上述した信号線駆動回路２３、書込線駆動回路２４、電源線駆動回路２５のほかに、必要な駆動回路を追加してもよい。
【００７９】
また、上記実施の形態等では、映像信号処理回路２１、信号線駆動回路２３、書込線駆動回路２４、電源線駆動回路２５の駆動をタイミング生成回路２２が制御していたが、他の回路がこれらの駆動を制御するようにしてもよい。また、映像信号処理回路２１、信号線駆動回路２３、書込線駆動回路２４、電源線駆動回路２５の制御は、ハードウェア（回路）で行われていてもよいし、ソフトウェア（プログラム）で行われていてもよい。
【００８０】
また、例えば、本技術は以下のような構成を取ることができる。
（１）
電流駆動型の光学素子を画素ごとに備えると共に、表示映像に応じて前記光学素子の発光期間を変更することにより表示映像の発光期間を変更する発光制御部を備えた
表示装置。
（２）
前記発光制御部は、表示映像に対応する特性値が所定の閾値を超えると、表示映像の発光期間を短縮する
（１）に記載の表示装置。
（３）
前記光学素子を流れる電流またはそれに対応する特性を計測する計測部をさらに備え、
前記発光制御部は、前記計測部での計測値またはそれに対応する値が所定の閾値を超えると、表示映像の発光期間を短縮する
（２）に記載の表示装置。
（４）
前記発光制御部は、前記計測部での計測値またはそれに対応する値が所定の閾値を超えると、前記光学素子の発光を１または複数の画素行ごとに順次、終了させることにより、表示映像の発光期間を短縮する
（３）に記載の表示装置。
（５）
前記計測部は、各画素の光学素子を流れる電流の値またはそれに対応する値を１もしくは複数の画素行ごとに計測し、
前記発光制御部は、前記計測部での計測値またはそれに対応する値を順次積算し、その積算した値またはそれに対応する値が所定の閾値を超えると、前記光学素子の発光を１または複数の画素行ごとに順次、終了させることにより、表示映像の発光期間を短縮する
（４）に記載の表示装置。
（６）
前記発光制御部は、表示映像に対応する表示信号の値またはそれに対応する値が所定の閾値を超えると、表示映像の発光期間を短縮する
（２）に記載の表示装置。
（７）
前記発光制御部は、表示映像に対応する表示信号の値またはそれに対応する値が所定の閾値を超えると、前記光学素子の発光を１または複数の画素行ごとに順次、終了させることにより、表示映像の発光期間を短縮する
（６）に記載の表示装置。
（８）
前記発光制御部は、表示映像に対応する表示信号の値またはそれに対応する値を１もしくは複数の画素行ごとに積算し、その積算した値またはそれに対応する値が所定の閾値を超えると、前記光学素子の発光を１または複数の画素行ごとに順次、終了させることにより、表示映像の発光期間を短縮する
（７）に記載の表示装置。
（９）
前記計測部は、各画素の光学素子を流れる電流の総和またはそれに対応する値を計測し、
前記発光制御部は、前記計測部での計測値またはそれに対応する値が所定の閾値を超えると、前記光学素子の発光を１または複数の画素行ごとに順次、終了させることにより、表示画像の発光期間を短縮する
（４）に記載の表示装置。
（１０）
前記発光制御部は、各画素の映像信号の値の総和またはそれに対応する値が所定の閾値を超えると、前記光学素子の発光を１または複数の画素行ごとに順次、終了させることにより、表示画像の発光期間を短縮する
（７）に記載の表示装置。
（１１）
表示装置を備え、
前記表示装置は、電流駆動型の光学素子を画素ごとに有すると共に、表示映像に応じて前記光学素子の発光期間を変更することにより前記表示映像の発光期間を変更する発光制御部を有する
電子機器。
（１２）
電流駆動型の光学素子を画素ごとに備えた表示装置において、表示映像に応じて前記光学素子の発光期間を変更することにより前記表示映像の発光期間を変更することを前記表示装置に実行させる
発光制御プログラム。
（１３）
表示画像に対応する特性値が所定の閾値を超えると、表示画像の発光期間を短縮する
（１２）に記載の発光制御プログラム。
（１４）
前記表示装置は、前記光学素子を流れる電流またはそれに対応する特性を計測する計測部をさらに備え、
当該発光制御プログラムは、前記計測部での計測値またはそれに対応する値が所定の閾値を超えると、表示画像の発光期間を短縮する
（１３）に記載の発光制御プログラム。
（１５）
前記計測部での計測値またはそれに対応する値が所定の閾値を超えると、前記光学素子の発光を１または複数の画素行ごとに順次、終了させることにより、表示画像の発光期間を短縮する
（１４）に記載の発光制御プログラム。
（１６）
前記計測部は、各画素の光学素子を流れる電流の値またはそれに対応する値を１もしくは複数の画素行ごとに計測し、
当該発光制御プログラムは、前記計測部での計測値またはそれに対応する値を順次積算し、その積算した値またはそれに対応する値が所定の閾値を超えると、前記光学素子の発光を１または複数の画素行ごとに順次、終了させることにより、表示画像の発光期間を短縮する
（１５）に記載の発光制御プログラム。
（１７）
表示画像に対応する表示信号の値またはそれに対応する値が所定の閾値を超えると、表示画像の発光期間を短縮する
（１３）に記載の発光制御プログラム。
（１８）
表示画像に対応する表示信号の値またはそれに対応する値が所定の閾値を超えると、前記光学素子の発光を１または複数の画素行ごとに順次、終了させることにより、表示画像の発光期間を短縮する
（１７）に記載の発光制御プログラム。
（１９）
表示画像に対応する表示信号の値またはそれに対応する値を１もしくは複数の画素行ごとに積算し、その積算した値またはそれに対応する値が所定の閾値を超えると、前記光学素子の発光を１または複数の画素行ごとに順次、終了させることにより、表示画像の発光期間を短縮する
（１８）に記載の発光制御プログラム。
（２０）
電流駆動型の光学素子を画素ごとに備えた表示装置において、表示映像に応じて前記光学素子の発光期間を変更することにより前記表示映像の発光期間を変更する
発光制御方法。
【符号の説明】
【００８１】
１，２…表示装置、１０…表示パネル、１０Ａ…表示領域、１１，１１Ｒ，１１Ｇ，１１Ｂ…有機ＥＬ素子、１２…画素回路、１３，１３Ｒ，１３Ｇ，１３Ｂ…サブピクセル、１４…画素、２０…駆動回路、２０Ａ，２１Ａ，２１Ｂ…映像信号、２０Ｂ…同期信号、２１…映像信号処理回路、２２…タイミング生成回路、２２Ａ，２２Ｂ，２３Ｃ…制御信号、２２−１，２２−４…発光制御プログラム、２２−２，２２−５…メモリ、２２−３，２２−６…プロセッサ、２３…信号線駆動回路、２４…書込線駆動回路、２５…電源線駆動回路、２６…計測回路、３１…基板、３２…封止用基板、２１０…領域、２２０…ＦＰＣ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ｃｓ…保持容量、ＣＴＬ…カソード線、ＤＴＬ…信号線、ＧＮＤ…グラウンド、ＤＳＬ…電源線、Ｌｏｎ…発光期間、Ｌｏｆｆ…消光期間、Ｌｃｏ…強制黒表示期間、Ｔｒ１…駆動トランジスタ、Ｔｒ２…書き込みトランジスタ、Ｖｇ…ゲート電圧、Ｖｓ…ソース電圧、Ｖｇｓ…ゲート−ソース間電圧、ＷＳＬ…書込線。
【図１】
2013029613.tif 000003
【図２】
2013029613.tif 000004
【図３】
2013029613.tif 000005
【図４】
2013029613.tif 000006
【図５】
2013029613.tif 000007
【図６】
2013029613.tif 000008
【図７】
2013029613.tif 000009
【図８】
2013029613.tif 000010
【図９】
2013029613.tif 000011
【図１０】
2013029613.tif 000012
【図１１】
2013029613.tif 000013
【図１２】
2013029613.tif 000014
【図１３】
2013029613.tif 000015
【図１４】
2013029613.tif 000016
【図１５】
2013029613.tif 000017
【図１６】
2013029613.tif 000018
【図１７】
2013029613.tif 000019
【図１８】
2013029613.tif 000020
【図１９】
2013029613.tif 000021
【図２０】
2013029613.tif 000022
【図２１】
2013029613.tif 000023
【図２２】
2013029613.tif 000024
【図２３】
2013029613.tif 000025
【図２４】
2013029613.tif 000026